(57)【特許請求の範囲】
【請求項１】
荷物が載置される搬送部材と、
乗物側を支点とするリンク部材であって、当該支点の反対側が前記搬送部材に係合された第一リンク部材と、
前記シートバックの背面の所定部位を支点とするリンク部材であって、当該支点の反対側が前記搬送部材に係合された第二リンク部材と、
を備え、
前記第一リンク部材は、
前記搬送部材が乗物の収容空間内に位置した第一位置と、
前傾状態となったシートバックの背面上に前記搬送部材が位置した第二位置と、
の間を変位自在に設けられており、
前記シートバックを起立状態と前傾状態の一方から他方に変化させ、前記第二リンク部材の支点が変位することで、前記搬送部材を前後方向に移動させる力が作用するものであり、
前記第二リンク部材と前記搬送部材の係合箇所は、当該第二リンク部材の長手方向に変化可能であることを特徴とする乗物用荷物搬送装置。
【発明の詳細な説明】
【技術分野】
【０００１】
本発明は、自動車等の乗物において荷物を搬送する装置に関する。
【背景技術】
【０００２】
自動車後方のシート（以下、リアシートと称することもある）のシートバックを前傾させることにより、自動車後方のトランクルームと、前傾したシートバックの上方の空間を収容空間として一体化することができる構造が周知である（例えば下記特許文献１参照）。
【先行技術文献】
【特許文献】
【０００３】
【特許文献１】特開２０１１−９３５０８号公報
【発明の概要】
【発明が解決しようとする課題】
【０００４】
トランクルーム内に収容された荷物は、バックドア（自動車後面に設けられたドア）側から出し入れしやすいが、リアドア（自動車側面後方に設けられたドア。リアシートに昇降するためのドア）側からの出し入れがしづらい。駐車環境等によっては、バックドアを開放することができず、リアドア側から荷物を出し入れする必要が生じうる。
【０００５】
本発明が解決しようとする課題は、自動車等の乗物において、荷物の出し入れを容易にすることができる装置を提供することにある。
【課題を解決するための手段】
【０００６】
上記課題を解決するために本発明にかかる乗物用荷物搬送装置は、荷物が載置される搬送部材と、乗物側を支点とするリンク部材であって、当該支点の反対側が前記搬送部材に係合された第一リンク部材と、を備え、前記第一リンク部材は、前記搬送部材が乗物の収容空間内に位置した第一位置と、前傾状態となったシートバックの背面上に前記搬送部材が位置した第二位置と、の間を変位自在に設けられていることを特徴とする。
【０００７】
前記シートバックの背面の所定部位を支点とするリンク部材であって、当該支点の反対側が前記搬送部材に係合された第二リンク部材を備え、前記シートバックを起立状態と前傾状態の一方から他方に変化させ、前記第二リンク部材の支点が変位することで、前記搬送部材を前後方向に移動させる力が作用するようにするとよい。
【０００８】
前記第二リンク部材と前記搬送部材の係合箇所は、当該第二リンク部材の長手方向に変化可能であるとよい。
【発明の効果】
【０００９】
本発明にかかる乗物用荷物搬送装置によれば、第一リンク部材によって、荷物が載置される搬送部材を、収容空間内と前傾状態となったシートバックの背面上との間を自在に移動させることができる。つまり、第一リンク部材の作用によって、搬送部材の位置を荷物が出し入れしやすい位置に簡単に移動させることができるから、従来に比して荷物の出し入れが容易になる。
【００１０】
シートバックを起立状態と前傾状態の一方から他方に変化させることによって、前後方向に移動させる力を搬送部材に伝える第二リンク部材をさらに備えれば、シートバックの動作によって生じた力によって搬送部材の移動がサポートされるから、収容空間内と前傾状態となったシートバックの背面上との間の搬送部材の移動がさらに容易になる。
【図面の簡単な説明】
【００１１】
【図１】本発明の一実施形態にかかる乗物用荷物搬送装置が搭載された乗物（自動車）の外観図である。
【図２】本発明の一実施形態にかかる乗物用荷物搬送装置の分解斜視図である。
【図３】乗物用荷物搬送装置の作用を説明するための図であって、シートバックが起立状態にあり、トランクルーム内に搬送部材が位置した状態を示す。
【図４】乗物用荷物搬送装置の作用を説明するための図であって、トランクルーム内に搬送部材が位置した状態から、シートバックを所定量前方に回動させたときの状態を示す。
【図５】乗物用荷物搬送装置の作用を説明するための図であって、シートバックが前傾状態となり、当該シートバックの背面上に搬送部材が位置した状態を示す。
【図６】変形例にかかる乗物用荷物搬送装置を説明するための図であって、（ａ）はトランクルーム内に搬送部材が位置した状態を、（ｂ）は前傾状態となったシートバックの背面上に搬送部材が位置した状態を示す。
【発明を実施するための形態】
【００１２】
以下、本発明の実施形態について図面を参照しつつ詳細に説明する。なお、特に明示した場合を除き、以下の説明における前後方向とは乗物用荷物搬送装置１が搭載された乗物の進行・後退方向をいうものとし、上下方向とは当該乗物の上下方向をいうものとし、幅方向とは前後方向および上下方向に直交する方向をいうものとする。
【００１３】
図１および図２に全体を示す本実施形態にかかる乗物用荷物搬送装置１は、自動車Ｖに収容される荷物を、自動車Ｖ後方に設けられたトランクルーム９１（本発明における収容空間に相当する）内と、自動車Ｖ後方に設けられたリアシートのシートバック９０（以下、単にシートバック９０というときは、当該リアシートのシートバック９０をいうものとする）が前傾状態にあるときにおいて、当該シートバック９０の背面（起立した状態にあるときにおける後面をいう）上との間を移動させるための装置であって、搬送部材１０、第一リンク部材２０、第二リンク部材３０を備える。
【００１４】
搬送部材１０は、荷物が載置される部材であって、当該搬送部材１０に荷物が載置されているとき、搬送部材１０を移動させると当該搬送部材１０とともに荷物が移動することとなる。本実施形態における搬送部材１０は、上方が開口したボックスである。搬送部材１０は荷物が「載置」できる部分を有するものであればよく（搬送部材１０を移動させることで載置された荷物も移動するものであればよく）、形状や大きさ等はどのようなものであってもよい。
【００１５】
第一リンク部材２０は、細長い軸状の部材であって、一端が自動車Ｖ（乗物）に対して直接または間接的に回動自在に接続されている。つまり、第一リンク部材２０は、乗物側を支点（以下、第一支点２１と称することもある）とするものである。本実施形態では、トランクルーム９１の底面に断面Ｌ字状の第一ブラケット４１が固定され、当該第一ブラケット４１に対し第一リンク部材２０の一端が回動自在に接続されている。
【００１６】
また、第一リンク部材２０の他端側（第一支点２１の反対側）は、搬送部材１０に対して回動自在に接続されている（以下、当該接続箇所を接続部２２と称することもある）。本実施形態における第一リンク部材２０の他端側は、搬送部材１０の側面における後方上側の隅に回動自在に接続されている。
【００１７】
第二リンク部材３０は、細長い軸状の部材であって、一端がシートバック９０に対して直接または間接的に回動自在に接続されている。つまり、第二リンク部材３０は、シートバック９０側を支点（以下、第二支点３１と称することもある）とするものである。本実施形態では、シートバック９０の背面上方に断面Ｌ字状の第二ブラケット４２が固定され、当該第二ブラケット４２に対し第二リンク部材３０の一端が回動自在に接続されている。
【００１８】
また、第二リンク部材３０には、その長手方向に延びる長孔３２が形成されている。当該長孔３２は、第二リンク部材３０の一端（第二支点３１）から他端側に所定長さ離れた箇所から、他端近傍まで延びる。当該長孔３２には、搬送部材１０が直接または間接的に係合している。本実施形態では、搬送部材１０に固定されるスライド部材１１が長孔３２に係合している。スライド部材１１は、搬送部材１０の側面（第一リンク部材２０が接続された側面）における前方下側の隅に固定されている。スライド部材１１は、長孔３２内をその長手方向にスライドすることが可能である。つまり、搬送部材１０（スライド部材１１）と第二リンク部材３０の係合箇所３３は、長孔３２が形成された範囲内で変化しうることとなる。なお、スライド部材１１は搬送部材１０と一体的に設けられたものであればよく、搬送部材１０と一体的に成形されていてもよい。例えば、搬送部材１０に形成された突起が長孔３２に係合する構成としてもよい。いずれにせよ、スライド部材１１は搬送部材１０の本体部分と一体的に移動するものであるため、本明細書においては、スライド部材１１は搬送部材１０の一部であるものとする。また、上記構成とは逆の構成、すなわち、搬送部材１０に長孔３２が、第二リンク部材３０に当該長孔３２に係合する部分（凸部等）が形成された構成としてもよい。つまり、搬送部材１０と第二リンク部材３０が係合し、その係合箇所３３が、第二リンク部材３０の長手方向に変化しうる構成であればよい。
【００１９】
なお、本実施形態では、上記第一リンク部材２０および第二リンク部材３０は、搬送部材１０の対向する側面の両側に設けられているが、一方側に設けられたものは他方側に設けられたものと同一の構造であるため、説明、図示を省略する。
【００２０】
このように構成される乗物用荷物搬送装置１の作用は次の通りである。シートバック９０が起立した状態にあるとき（前傾した状態にないとき）搬送部材１０はトランクルーム９１内に位置する（図３参照）。具体的には、第一リンク部材２０が第一支点２１から後上方に向かって延び、接続部２２に至る態様（本発明における第一位置に相当する）にあり、第二リンク部材３０が第二支点３１（起立したシートバック９０の上方）から下方に向かって延びる態様にある。
【００２１】
当該状態からシートバック９０を前傾させると、シートバック９０に接続された第二リンク部材３０の第二支点３１が変位する。具体的には、第二支点３１は、シートバック９０の回動中心を中心とした円弧を描くように前方に向かって変位する。第二リンク部材３０に形成された長孔３２には搬送部材１０の前方下側の隅に固定されたスライド部材１１が係合しているため、搬送部材１０の前側を持ち上げ（搬送部材１０の前側上方には、持ち上げるための持ち手１２（図２参照）が設けられているとよい）、長孔３２に係合するスライド部材１１をスライドさせつつ、シートバック９０を前傾させていく（図４参照）。つまり、シートバック９０を前傾させることによって生じた力が、第二リンク部材３０を介して搬送部材１０に伝達される。
【００２２】
このとき、第一リンク部材２０は、搬送部材１０の動きに合わせて回動する。具体的には、接続部２２が前方に向かうように回動する。当該接続部２２は搬送部材１０の側面における後方上側の隅に固定されているため、第一リンク部材２０が回動することによって搬送部材１０の後側が持ち上げられることとなる（図４参照）。
【００２３】
シートバック９０を完全に前傾させると、搬送部材１０がシートバック９０の背面上に乗り上げた状態になる（図５参照）。具体的には、第一リンク部材２０が第一支点２１から前上方に向かって延び、接続部２２に至る態様（本発明における第二位置に相当する）となり、第二リンク部材３０が前傾状態となったシートバック９０の背面に沿った態様となって、搬送部材１０がシートバック９０の背面上に位置する。
【００２４】
シートバック９０の背面上に位置した搬送部材１０をトランクルーム９１内に戻す際には、搬送部材１０の前側を支えつつ、シートバック９０を起立させる。これにより、上記とは逆の流れで搬送部材１０がトランクルーム９１内に戻る。
【００２５】
このように、本実施形態にかかる乗物用荷物搬送装置１によれば、シートバック９０を回動させることにより、第一リンク部材２０および第二リンク部材３０のサポート（具体的には第一リンク部材２０による搬送部材１０の後側を持ち上げる作用、およびシートバック９０を回動させることによって生じた力が第二リンク部材３０を介して搬送部材１０が前後方向に移動する力として伝達される作用）を受けつつ、搬送部材１０をトランクルーム９１内と前傾したシートバック９０の背面上との間を移動させることができる。つまり、ユーザは、バックドアＢＤ側から荷物を出し入れするか、リアドアＲＤ側から荷物を出し入れするかを任意に選択した上で、荷物の出し入れのしやすい場所に搬送部材１０を位置させることになるところ、本実施形態によれば当該搬送部材１０の移動作業が容易になる。
【００２６】
また、本実施形態における搬送部材１０は、第一リンク部材２０および第二リンク部材３０から容易に取り外すことが可能である。搬送部材１０を取り外した状態とすれば、トランクルーム９１と前傾したシートバック９０の上側の空間が一体となった大きな荷物収容用のスペースを確保することができる。
【００２７】
以下、変形例にかかる乗物用荷物搬送装置１ａついて、上記実施形態にかかる乗物用荷物搬送装置１と異なる点を中心に説明する。
【００２８】
図６に示す変形例にかかる乗物用荷物搬送装置１ａは、上記実施形態にかかる乗物用荷物搬送装置１における第二リンク部材３０を備えていない。つまり、リンク部材として、上記実施形態にかかる乗物用荷物搬送装置１における第一リンク部材２０に相当するもののみ備える。つまり、搬送部材１０がトランクルーム９１内に位置した第一位置と、搬送部材１０がシートバック９０の背面上に位置した第二位置との間を変位自在に設けられたリンク部材（以下、本変形例においては第一リンク部材２０ａと称する）のみ備える。ただし、このような第一リンク部材２０ａは、一の搬送部材１０に対し、複数設けられていてもよいし、一つのみ設けられていてもよい。搬送部材１０の一方の側面側に二以上の第一リンク部材２０ａを設けることもできる。
【００２９】
第一リンク部材２０ａは、支点（第一支点２１ａ）が乗物側に設定され、当該支点の反対側（接続部２２ａ）が搬送部材１０に対し回動自在に接続されている。
【００３０】
本例の場合、シートバック９０の回動によって生じた力は、搬送部材１０に伝達されない。ただし、このような第一リンク部材２０ａが設けられていない場合と比較し、第一リンク部材２０ａのサポート機能が発揮されるため、移動が容易である。搬送部材１０を移動させている際の負荷を小さくするため、第一リンク部材２０ａの接続部２２ａは、できるだけ搬送部材１０の中央（重心）に接続されていることが望ましい。また、シートバック９０の前傾、起立に連動して搬送部材１０が移動するものではないため、搬送部材１０をトランクルーム９１内に位置させたまま、シートバック９０を前傾させることができるという点においては、上記実施形態にかかる乗物用荷物搬送装置１よりも有利である。
【００３１】
以上、本発明の実施形態について詳細に説明したが、本発明は上記実施形態に何ら限定されるものではなく、本発明の要旨を逸脱しない範囲で種々の改変が可能である。
【００３２】
上記実施形態における乗物用荷物搬送装置１および変形例にかかる乗物用荷物搬送装置１ａは、自動車に搭載されるものを例に説明したが、他の乗物に適用することも可能である。自動車の場合、駐車環境等によって荷物の出し入れがしづらい状況が生ずる問題等、本発明を適用することによって解決できる問題が発生する蓋然性が高いということであって、シートおよびその後方に収容空間が設けられた乗物であれば、自動車以外の乗物についても上記技術思想を適用することが可能である。自動車以外の乗物に適用された場合であっても、搬送部材１０（荷物）の位置を、ユーザの都合の良い位置に変化させること（選択すること）ができるという点で、従来に比して荷物の出し入れが容易になるということがいえる。
【００３３】
上記実施形態における乗物用荷物搬送装置１では、第二リンク部材３０に形成された長孔３２内を搬送部材１０に固定されたスライド部材１１をスライドさせること、すなわち第二リンク部材３０と搬送部材１０の係合箇所３３が変化させることができる点について説明したが、このような構造が第一リンク部材２０に設けられていてもよい。つまり、第一リンク部材２０と搬送部材１０の係合箇所が変化しうる態様としてもよい。
【符号の説明】
【００３４】
１（１ａ）  乗物用荷物搬送装置
１０  搬送部材
１１  スライド部材
２０（２０ａ）  第一リンク部材
２１（２１ａ）  第一支点
２２（２２ａ）  接続部  
３０  第二リンク部材
３１  第二支点
３２  長孔
３３  係合箇所
９０  シートバック
９１  トランクルーム
【図１】
0006507810.tif 000002
【図２】
0006507810.tif 000003
【図３】
0006507810.tif 000004
【図４】
0006507810.tif 000005
【図５】
0006507810.tif 000006
【図６】
0006507810.tif 000007